【事件の表示】
　平成　３年特許願第１５９３９２号「タッチパネルを具えた画像表示装置」拒絶査定不服審判事件〔平成　５年　１月２２日出願公開、特開平　５−　１１９２４〕について、次のとおり審決する。
【結　論】
　本件審判の請求は、成り立たない。
【理　由】
【１】本願発明
　本願は、平成3年7月1日の出願であって、その請求項1に係る発明（以下、「本願発明」という。）は、平成15年3月24日付け手続補正書によって補正された明細書の特許請求の範囲に記載された次のとおりのものである。
「ディスプレイと、
該ディスプレイを制御し、キーボード入力装置が接続可能な画像表示制御回路と、
該画像表示制御回路に接続し、少なくともディスプレイ画面上を覆って配置されたタッチパネル入力装置と、
テーブル手段を用いて、該タッチパネル入力装置の座標データを、キーボード入力装置が出力するコードデータに変換する変換手段とを具え、
キーボード入力装置が接続された時はこの接続を自動的に検知して、キーボード入力装置からの入力データをコードデータとして画像表示制御回路に入力し、
キーボード入力装置が接続されていない時は、タッチパネル入力装置からの入力データを、変換手段によって、該入力データに対応するコードデータに変換して画像表示制御回路に入力することを特徴とする画像表示装置。」
　
【２】引用文献
　原査定の拒絶理由に引用された特開平1-255024号公報（以下、「引用文献」という。）には、
「第1図は、この場合、半導体製造装置であるプラズマ処理装置に適用したときの入力装置の構成を示す。プラズマ処理装置1にはマイクロコンピュータ2がつながり、マイクロコンピュータ2にはパーソナルコンピュータ3がつながる。パーソナルコンピュータ3にはCRT11、タッチパネル12およびキーボード13がつながる。
　パーソナルコンピュータ3の制御部4は、この場合、大きく主制御部5、入力制御部6および表示制御部7から成り、入力制御部6および表示制御部7はそれぞれ主制御部5につながっている。表示制御部7には表示手段である、この場合、CRT11がつながる。入力制御部6には入力バッファ10および切替手段である、この場合、ソフトスイッチ9を介して、一方は変換手段である、この場合、座標コード変換部8を介してタッチパネル12がつながり、他方はキーボード13につながる。また、入力制御部6は座標コード変換部8、ソフトスイッチ9およびキーボード13に直接つながる回路を有している。
　次に、このように構成された装置の作用について説明する。
　プラズマ処理装置を運転する際、キーボード13からの入力を必要とした場合、主制御部5および入力制御部6によって切り換え信号18がソフトスイッチ9に出て、キーボード13側にスイッチをつなげ、キーボード13からのキー入力を可能にする。
　また、プラズマ処理装置を運転する際、タッチパネル12からの入力を必要とした場合、主制御部5および入力制御部6によって切り換え信号18がソフトスイッチ9に出て、タッチパネル12側にスイッチをつなぐとともに、主制御部5および表示制御部7によってCRT11上に必要な入力情報および入力位置を表示させる。例えば、第2図に示すようにタッチパネル入力時の表示画面20には、その時点でプラズマ処理装置を操作するための情報および入力位置を示すアイコン21が表示される。この表示位置に従い、CRT11の画面に取り付けられたタッチパネル12の入力部分14を押すと、タッチパネル12から座標コード変換部8に座標信号15が送られる。座標コード変換部8では、例えば、アイコン21の座標信号15をアイコン21の示す命令に対応するコード（例えば、JISコード等の文字コード“S”“1”“OR”といった三つのコード）に変換する。変換されたコード信号16はソフトスイッチ9を介して入力バッファ10に格納され、入力制御部6から順次引き出されて、主制御部5で処理されマイクロコンピュータ2に送られ、マイクロコンピュータ2によってプラズマ処理装置1が制御される。
　また、プラズマ処理装置の運転が進み、別な入力が必要になったときは、CRT11に別な入力画面が表示されるとともに、入力制御部6から座標コード変換部8に変更された表示画面での座標信号と変換コードとの新たな対応情報が入力される。
　ここで、何らかの原因でタッチパネルからの入力が不可能になった場合、キーボード13からキー入力（例えば、ファンクションキーを押す等）して、入力方法を切り換える信号17を入力制御部6に送る。これにより、入力制御部6は切り換え信号18をソフトスイッチ9に送り、スイッチをキーボード側につなぎ、主制御部5および表示制御部7はCRT11にタッチパネル12からの入力状態と同様式でキー入力が可能なようにコマンドを表示させる。例えば、第3図に示すようにキーボード入力時の表示画面22には、タッチパネル入力時の表示画面と同様にその時点でのプラズマ処理装置の操作に必要な情報および入力コマンド23が表示される。このコマンド表示に従いキーボード13からコマンド（例えば、“S”“1”）を入力し、実行（“復改”キーを押す）させる。これにより、タッチパネル12に代わって入力指示することができる。
　以上、本一実施例によれば、タッチパネルからの入力が不可能になった場合でも、キーボードから入力方法切り換え信号を送ってやることにより、CRTでの表示様式はそのままで、キーボードからの入力が可能なようにコマンドを表示させているので、入力するコマンドが容易に分かり、また、タッチパネルからの座標信号をキーボードで使用するコードに変換するようにしているので、入力制御部への入力が共通に行なえ、タッチパネル入力とキーボード入力とを簡単に切り換えることができ、さらに、キーボードからの入力方法切り換え信号によってタッチパネル入力状態からキーボード入力に切り換えられるので、簡単な操作で運転を続行することができる。
　また、タッチパネルとキーボードによる2ウェイ入力装置を実現でき、パソコンに付属のキーボードを有効に利用できる。また、タッチパネルからの座標信号をキーボードのコードに合わせるようにコード変換しているので、ハードウェアの追加をすることなく、制御ソフトウェアの追加のみで、タッチパネルのバックアップシステムを構成することができるため、経済的にもすぐれている。
　なお、本一実施例では、タッチパネルからの入力が不可能になった場合、キーボードからの入力を可能にしているが、逆の操作をさせることも可能である。また、両方を行なわせることも可能で、この場合、両者の入力方法を持つことになるため、相互の補間が可能であり、操作の用途拡大および入力装置の信頼性向上が図れる。」
の記載が認められる。（第2頁右上欄第13行〜第3頁左下欄第14行、第1図〜第3図の各記載参照。）
　
【３】対比・判断
（対比）
　本願発明と上記引用文献に記載された発明とを対比すると、引用文献に記載された発明における「CRT11」、「制御部4（主制御部5、入力制御部6、表示制御部7）」、「座標コード変換部8」、「パーソナルコンピュータ3」のそれぞれは、本願発明における「ディスプレイ」、「画像表示制御回路」、「変換手段」、「画像表示装置」に相当するから、両者は、
「ディスプレイと、
該ディスプレイを制御し、キーボード入力装置が接続される画像表示制御回路と、
該画像表示制御回路に接続し、少なくともディスプレイ画面上を覆って配置されたタッチパネル入力装置と、
該タッチパネル入力装置の座標データを、キーボード入力装置が出力するコードデータに変換する変換手段とを具え、
キーボード入力装置からの入力データはコードデータとして画像表示制御回路に入力し、
タッチパネル入力装置からの入力データは、変換手段によって、該入力データに対応するコードデータに変換して画像表示制御回路に入力するようにした画像表示装置」
である点で一致し、以下の（i）、（ii）の各点で相違している。
　
（i）座標データをコードデータに変換する変換手段として、本願発明はテーブル手段を用いているのに対して、引用文献に記載された発明においては、何を用いて変換しているのか明示されていない点。
（ii）本願発明は、キーボード入力装置を接続（着脱）可能なものとし、キーボード入力装置が接続された時はこの接続を自動的に検知して、キーボード入力装置から入力し、キーボード入力装置が接続されていない時は、タッチパネル入力装置から入力するようにしているのに対して、引用文献に記載された発明においては、キーボード入力装置が常時接続されており、切り換え手段（ソフトスイッチ）を用いて、キーボード入力装置からの入力とタッチパネル入力装置からの入力とを切り換えるようにしている点。
　
（判断）
　相違点（i）について、
　一般に、タッチパネル入力装置やタブレット式入力装置の座標データをコードデータ（キーコード、標準コード）に変換する変換手段として、テーブル手段を用いることは、周知慣用技術である（必要であれば、「特開昭53-105124号公報」，「特開昭63-296119号公報」，「特開平2-278415号公報」の各記載を参照。）。
　そして、上記引用文献に記載された発明においても、座標データをコードデータに変換するものであるから、この変換手段として、テーブル手段を採用することは、当業者が適宜選択する設計的事項であると認められる。また、これにより奏する作用効果も、当業者が予測し得る程度のものであって格別のものとは認められない。
　相違点（ii）について、
　一般に、周辺機器の接続を検出して接続前の機能から接続された機器の機能へ動作を切り換えることは、例えば「特開平2-280556号公報」，「特開平1-219919号公報」に記載されているように、周知慣用技術である。
　さらに、キーボード入力装置を接続（着脱）可能なものとし、キーボード入力装置が接続された時はこの接続を自動的に検知して、キーボード入力装置からデータを入力するようにし、キーボード入力装置が接続されていない時は、他の装置（キーボードデータテーブル、小型キーボード）からデータを得るようにすることも、また、周知慣用技術である（例えば、特開昭63-39048号公報、特開平1-136220号公報の各記載参照）。
　よって、上記引用文献に記載された発明において、前記周知事項を参酌して本願発明のように構成することは当業者が適宜なし得る事項であると認められる。また、これにより奏する作用効果も、当業者が予測し得る程度のものであって格別のものとは認められない。
　
【４】むすび
　したがって、本願の請求項1に係る発明は、上記引用文献に記載された発明及び周知慣用技術に基づいて当業者が容易に発明をすることができたものと認められるから、特許法第29条第2項の規定により特許を受けることができない。
　よって、結論のとおり審決する。